(57)【特許請求の範囲】
【請求項１】
所定の取付面に形成されたフック孔に引っ掛け得る爪部を有し、被取付物を前記爪部を設けた側と反対側に形成した取付部に取り付け得る取付具本体と、前記フック孔に爪部を引っ掛けて係合させた状態で、この爪部がフック孔との係合を解除する係合解除方向に移動するのを禁止するロック要素とを備えてなり、
当該ロック要素が、前記取付具本体とは別体に設けられ、且つ前記取付具本体をロックするロック位置と取付具本体のロック状態が解除される退避位置との間で移動可能なものであり、
当該ロック要素に設けた操作部を指で押すことによってこのロック要素を前記退避位置から前記ロック位置へ移動可能にし、
このロック要素を、前記ロック位置に配置した状態で、前記取付部に取り付けられた被取付物によってロック位置側に押さえられるようにした取付具。
【請求項２】
ロック要素が、フック孔に差し込み可能な差込部と、前記差込部をフック孔に差し込んだ状態で被取付物の背面に当接し得る当接面とを備えたものである請求項１記載の取付具。
【請求項３】
さらに、差込部をフック孔へ差し込むための操作部を備えている請求項２記載の取付具。
【請求項４】
当接面が、操作部に備えられたものである請求項３記載の取付具。
【請求項５】
ロック要素が、取付具本体とは別体に設けられこの取付具本体に形成した切欠部内で、ロック位置と取付具本体のロック状態が解除される退避位置との間で移動可能に保持されるものものである請求項１乃至４記載の取付具。
【請求項６】
ロック要素が、ロック位置に配置された状態で切欠部の少なくとも一部に嵌まって取付部本体と外観上一体化する形状をなすものである請求項５記載の取付具。
【請求項７】
爪部を、フック孔に対応して上下方向に並ぶ複数の下向爪と、これら複数の下向爪の上方に配した上向爪とから構成した請求項１乃至６記載の取付具。
【発明の詳細な説明】
【０００１】
【発明の属する技術分野】
本発明は、フック孔が形成された取付面に対して被取付物を取り付けるための取付具に関するものである。
【０００２】
【従来の技術】
従来、例えば家具類などの被取付物をフック孔を形成した取付面に対して取り付ける場合に、例えば前記フック孔に引っ掛け得る爪部と、この爪部を設けた側と反対側に形成され被取付部に取り付け得る取付部とを備えたブラケットを利用して取り付けるようにすることがある。このようなブラケットは、不測の外力が作用にした場合に、爪部のフック孔に対する引っ掛かりが外れてしまい、取付面から外れてしまう場合があるので、取付面に対してネジ止めするなどして、抜け防止を図ったものなどが知られている。
【０００３】
【発明が解決しようとする課題】
ところが、このようなものであると、取付面側にねじ孔を設けるなどの加工を別途施さねばならず、製作への負担が大きくなってしまうとともに、取付作業においても工具などを必要として煩雑なものとなってしまうという不具合を生じることとなった。
【０００４】
そこで、これらの課題を解決すべく、取付面側には何ら新たな加工を施さずともよく、簡単な構成で確実に取付面からの抜けを防止できる取付具を提供する。
【０００５】
【課題を解決するための手段】
すなわち、本発明は、フック孔が設けられた所定の取付面に、引っ掛けることができる爪部と、この爪部が設けられた側と反対側に形成され被取付物を取り付け得る取付部とを具備した取付部本体と、爪部をフック孔に引っ掛けた状態で爪部がフック孔との係り合わせを外す方向に移動するのを禁止するロック要素とを備えてなり、当該ロック要素が、前記取付具本体とは別体に設けられ、且つ前記取付具本体をロックするロック位置と取付具本体のロック状態が解除される退避位置との間で移動可能なものであり、当該ロック要素に設けた操作部を指で押すことによってこのロック要素を前記退避位置から前記ロック位置へ移動可能にし、このロック要素を前記ロック位置に配置した状態で、前記取付部に取り付けられ取付状態にある被取付物によって移動しないようにロック位置側に付勢されるように構成した取付具である。
【０００７】
また、被取付物によって押さえられるようにするとは、例えば、被取付物に設けた押付機構のようなものや被取付物に形成された面など、被取付物を構成する部材等によって押さえられるように構成することである。
【０００８】
このようなものであれば、ロック要素をロック位置に配置することで、爪部が、フック孔から抜けて外れてしまうことを防止することができるようになるので、取付面側には何ら加工を施すことなく、簡素な構成によって抜け防止を可能とした取付具を提供できるようになる。さらに、このロック要素をロック位置に配置させた状態を被取付物によって移動しないようにすることができるようになるため、確実な抜け防止が可能となる。
【０００９】
そして、このようなロック要素として簡素で好適な具体的態様としては、ロック要素が、フック孔に差し込み可能な差込部と、この差込部をフック孔に差し込んだ状態で被取付物の背面に当接する当接面とを設けて、差込部をフック孔に差し込んだ状態をロック位置とし、この状態のロック要素を取付位置に配置した被取付物の背面で当接面を押すことでロック位置側に押さえられるようにしたものが挙げられる。このようなものであれば、抜け防止のために、被取付物に対しても何ら加工することなく利用することができるようになる。
【００１０】
そして、このようなロック要素を取り扱い易くするためには、差込部をフック孔へ差し込んだ状態へ移動させるための操作部を設けることが望ましい。
【００１１】
また、より簡素な構成とするためには、この操作部に当接面を備えておき機能を兼用させるようにすることが望ましい。
【００１２】
また一方、ロック要素の具体的な態様として、取付具本体とは別体に設けられたものが挙げられ、例えば、取付具本体に形成した切欠部内でロック位置とこの取付具本体のロック状態が解除される退避位置との間で移動可能に保持されるように構成するようすれば、簡素な構成となり好適である。
【００１３】
さらに、このような切欠部内に保持されるロック要素を目立たせず、ブラケットの外観を良好なものとするためには、ロック要素を、ロック位置において切欠部の少なくとも一部に嵌まり、取付部本体と外観上一体化する形状をなすように構成すると好適である。
【００１４】
また、より厳重な取付具の抜け防止を図るためには、爪部を、フック孔に対応して上下方向に並ぶ複数の下向爪と、これら複数の下向爪の上方に設けた上向爪とするとから構成することが望ましい。
【００１５】
【発明の実施の形態】
以下、本発明の一実施形態を、図面を参照して説明する。
【００１６】
本実施形態に係る被取付物たるキャビネット１は、図１、２に示すように、前面に開口する収納空間を有した箱体状の収納部２と、この開口を閉止する閉止位置（ｍ）と前記開口を開成位置（ｎ）との間を移動する扉３と、この扉３を開閉可能に支持する支持機構４とを備えてなるものである。なお、図２は、後述する外側板２４２を取り外して側板２４内部の内部の様子を視認可能に示したものである。
【００１７】
この収納部２は、板金素材からなる平面視矩形状の天板２１と、この天板２１と平面視同形状をなす図示しない底板と、これら天板２１と底板との間に位置する正面視縦長の矩形状の背板２３と、この背板２３の端部から扉３の形状に合わせて前方に膨出する側面視部分円弧状をなす左右一対の側板２４とを具備してなる。この側板２４は、内側板２４１と外側板２４２とからなり、これら外側板２４２と内側板２４１との間に空間を有する二重構造をなしている。そして、この空間内には、内側板２４１を補強するための仕切り板５を配している。
【００１８】
この仕切り板５の前側の空間ＳＰ１に、前記支持機構４が配設するとともに、この前側の空間ＳＰ１を前方に開口させた図示しない前スリットを形成して、この支持機構４を構成する支持アーム４１をこの前スリットから前方に向けて延ばし設けて扉３を開閉可能に支持するようにしている。そして、この支持アーム４１は、空間内に設けられた軸４２によって回動可能に支持されており、この前スリットの上下方向に沿って回動することによって、扉３を閉止位置から開成位置まで移動させることになる。
【００１９】
一方、後側の空間ＳＰ２を背面側に開口させた後スリットＳＬを形成して、後述するキャビネット側取付部８１を挿入できるようにしている。具体的には、この後スリットＳＬは、図８、１０に示すように、外側板２４２の後端を内側に折り曲げた後屈曲部２４２１と、背板２３の側端とが当接する部分に設けられたもので、これら後屈曲部２４２１と背板２３の側端とを跨るように略細長矩形状に切り欠いて設けたものである。そして、内側板２４１に取り付けた上下の補強部材６１、６２の外側板２４２側への突出幅を、後述するブラケット本体８のキャビネット側取付部８１がこの後スリットＳＬの内部に挿入した状態で当接する寸法に設定するとともに、この後スリットＳＬの内部の幅寸法を、キャビネット側取付部８１がこの後スリットＳＬ内部に挿入した状態で大きくぐらつかない程度に設定している。さらに、キャビネット側取付部８１の後スリットＳＬへの挿入動作がスムーズに行われるように、上下の補強部材６１、６２の後スリットＳＬの開口縁部側に位置する上下２つのコーナ部分を切り欠いて、この後スリットＳＬの開口縁部から内部へ狭まっていくテーパ面Ｔを形成している。
【００２０】
しかして、本実施形態においては、このキャビネット１を取付面たるパネルＰの前面Ｐ１に、取付具たるブラケット７を利用して取り付けるようにしている。
【００２１】
ブラケット７は、図示したようにブラケット本体８と、ロック要素たるロック部材９とを備えてなり、このロック部材９をブラケット本体８をロック位置（ｌ）に配置した状態で、当該ブラケット本体８に取り付けたキャビネット１によってロック位置（ｌ）側に押さえられるように構成して、ブラケット本体８がパネルＰの前面Ｐ１から抜けないように図ったものである。
【００２２】
ブラケット本体８は、フック孔ＦＨが形成されたパネルＰの前面Ｐ１に引っ掛け得る爪部Ｆと、この爪部Ｆを設けた側と反対側に形成されキャビネット１を取り付け得る取付部たるキャビネット側取付部８１とを具備したものである。詳述すれば、前記キャビネット１よりも板厚寸法が大きな板状の板金素材を折り曲げ加工を施して成形することによって、前記キャビネット側取付部８１と、このキャビネット側取付部８１の後端からキャビネット１の幅方向に沿って当該キャビネット１の側端に向かって伸びた折曲部８２と、この折曲部８２の側端から後方へ向かって設けられ前記爪部Ｆを備えたパネル側取付部８３と、このパネル側取付部８３及び前記折曲部８２の下端から一体的に延長させてなる操作部８４とを設けて構成したものである。また、このブラケット７は、前記キャビネット側取付部８１、折曲部８２及びパネル側取付部８３に跨るように水平方向に沿って矩形状に切り欠いた切欠部８５を設けている。なお、このブラケット７の素材としては、例えばスチールなど剛性を有するものを使用するのが好ましい。また、本実施形態においては、図１に示すように、キャビネット１の背面側の左右両側端近傍に配されるものである。
【００２３】
キャビネット側取付部８１は、図４に示すように側面視縦長の略矩形をなすものであり、キャビネット１を固定するねじＶをねじ込み可能なねじ孔ｅ１、ｅ２と、当該キャビネット側取付部８１を後スリットＳＬに挿入して係り合わせる際にガイド部として機能する傾斜部８１ａを備えたものである。ねじ孔ｅ１、ｅ２は、このキャビネット側取付部８１の上下２箇所に設けたものである。そして、上方側のねじ孔ｅ１は、内側板２４１及び前記補強部材６１に連通するように設けられたねじ挿通孔ｆ１に対応した位置に設けられている。また、下方側のねじ孔ｅ２は、内側板２４１及び補強部材６２に連通するように設けられたねじ挿通孔ｆ２に対応する位置に設けられている。なお、これらねじ挿通孔ｆ１、ｆ２は、本実施の形態においては、例えば金属を素材とした筒状のものを内側板２４１と、補強部材６１、６２とに貫通するように取り付けることで構成している。傾斜部８１ａは、キャビネット側取付部８１の上端後側のコーナ部分を略三角形状に切り欠いた形状に成形することで形成されるもので、前方に向かって上昇する方向に沿った傾斜を有するものである。また、このキャビネット側取付部８１の上端８１ｂは、後スリットＳＬの内部に設けられた下向き面たる天板２１の下向き面２１ａ（図９参照）に当接するような高さ寸法に設定されており、この上端８１ｂを下向き面２１ａに当接することでキャビネット１とブラケット７とをネジＶによって固定する際に、上下方向の位置決めができるようにしている。
【００２４】
折曲部８２は、このキャビネット側取付部８１を後スリットＳＬに挿入した状態で、その前向き面８２ａを背板２３の背面に当接させて当該ブラケット７によるキャビネット１の支持を安定化させるものである。
【００２５】
パネル側取付部８３は、この折曲部８２の後端から、フック孔ＦＨに対して直交する向きに延ばし設けられたものである。なお、このパネル側取付部８３の外側端面８３ａを、前記キャビネット側取付部８１を後スリットＳＬに挿入した状態において、前記外側板２４２の外側端面２４２ａと面一になるように設定して、前方から見た場合にブラケット７を隠蔽させキャビネット１の外観を良好なものとしている。
【００２６】
そして、このパネル側取付部８３に設けられた爪部Ｆは、フック孔ＦＨに対応して上下方向に並ぶ複数の下向爪Ｆ１と、これら複数の下向爪Ｆ１の上方に設けた上向爪Ｆ２とからなるものである。下向爪Ｆ１は、後方に突出した支持部Ｆ１１と、この支持部の後端から下向きに突出させた爪本体Ｆ１２とを一体に設けたものである。そして、この爪本体Ｆ１２の上下寸法及び厚み幅寸法が、フック孔ＦＨの上下幅寸法及び左右幅寸法より若干小さくなるように設定されたものである。また、上向爪Ｆ２は、後方に突出した支持部Ｆ２１と、この支持部Ｆ２１の後端から上向きに突出させた爪本体Ｆ２２とを一体に設けたものである。支持部Ｆ２１は、下向爪Ｆ１の支持部Ｆ１１とその上下寸法を略同一にしたものである。また、爪本体Ｆ２２は、その上下寸法を、フック孔ＦＨの上下寸法より大きくなるように設定してあり、下向爪Ｆ１がフック孔ＦＨから水平方向に移動して抜けることができる高さ位置まで上動したとしても、支持部Ｆ２１の上方に突出する前向き面Ｆ２２ａがパネルＰの内面に当接することによってブラケット本体８の抜け防止ができるようにしている。なお、この爪本体Ｆ２２ａの前向き面Ｆ２２ａは、爪本体Ｆ１２の前向き面Ｆ１２ａと、面一になるようにしている。しかして、このように爪部Ｆを、上向爪Ｆ２をその最上部に設けて構成しているため、この爪部Ｆとフック孔ＦＨとの係合を解除する場合は、一端ブラケット本体８を上向きに持ち上げてから、ブラケット本体８を斜めにして下方を前に向けて引くように、下向爪Ｆ１を外していき、最後に上向爪Ｆ２を外していくこととなる。
【００２７】
操作部８４は、このパネル側取付部８３と前記折曲部８２とを、その下端部分を下方に延長するように一体的に設けて、パネル側取付部８３の下方に位置するものである。また、この下端８４ａを、キャビネット１の下端位置と略一致させるかあるいは若干上方に位置するように設定して、前方から見た場合にブラケット７を隠蔽してキャビネット１の外観を良好なものとしている。そして、図９に示したように、前記パネル側取付部８３をパネルＰに取り付けておいて、キャビネット１を持ち上げて後スリットＳＬと前記キャビネット側取付部８１とを近づけ、これら後スリットＳＬとキャビネット側取付部８１とを係り合わせを開始しようとする位置、すなわち、後スリットＳＬ内へのキャビネット側取付部８１の挿入動作を行う寸前の係り合い準備状態（Ｊ）において、下方から手で把持してこのキャビネット側取付部８１の位置調整を行うことができるものである。
【００２８】
一方、ロック部材９は、フック孔ＦＨに爪部Ｆを引っ掛けて係合させた状態で、爪部Ｆがフック孔ＦＨとの係合を解除する係合解除方向に移動するのを禁止するもので、板金素材を折り曲げ加工することによって、差込部９１と、キャビネットに当接する当接面を備えた操作部９２とを形成し、平面視略Ｌ字型をなすように設けたものである。また、ブラケット本体８とは別体に設けられ前記切欠部８５内で移動可能に保持されているものである。具体的には、切欠部８５をこのロック部材の上下寸法と略一致させるように設定して、このロック部材９のその上端と下端とをこの切欠部８５にほぼ密着させた状態且つ移動可能な状態で保持されている。さらに、ブラケット本体８と略同一厚み幅を有する同素材のものによって成形したものである。
【００２９】
差込部９１は、側面視矩形状をなし前記フック孔ＦＨに差し込み可能なものである。具体的には、その上下寸法を、フック孔ＦＨの上下寸法と略一致させるとともに、その内部に当該ロック部材９を保持させる前記切欠部８５を形成する位置を調整して、爪部Ｆをフック孔ＦＨに引っ掛けた状態で所定ピッチで設けられているフック孔ＦＨのうち所定のフック孔ＦＨに差し込めるように構成したものである。しかして、前記差込部９１が、フック孔ＦＨに差し込まれると、この差込部９１を切欠部８５内においてその上端及び下端をほぼ密着させた状態で保持しているブラケット本体８は上動ができなくなり、すなわち、ブラケット本体８の爪部Ｆがフック孔ＦＨとの係合を解除する係合解除方向への移動を禁止されることとなる。
【００３０】
操作部９２は、この差込部９１から連続して直交する向きに折り曲げて正面視略矩形状に成形したものである。すなわち、この操作部９２と前記差込部９１と平面視Ｌ字形状を成す。この幅方向の寸法（左右幅寸法）は、折曲部８２の幅方向の寸法（左右幅寸法）より若干大きく設定されている。また、その前向き面９２ａは、ロック位置（ｌ）において折曲部８２の前向き面８２ａと面一になり、キャビネット１の背面を構成する背板２３の背面２３ａ及び外側板２４２の後屈曲部２４２１の背面２４２１ａに当接する当接面として機能する。さらに、図７に示すように、折曲部８２の前方にできる空間部分においてこの前向き面９２ａを指で押すことで、ブラケット７をパネルＰの前面Ｐ１に取り付けた状態で、当該ロック部材９を退避位置（ｔ）からロック位置（ｌ）へ移動させることができるようにしている。
【００３１】
次に、このように構成したブラケット７を用いて、キャビネット１を、パネルＰの前面Ｐ１に取り付ける場合に付いて述べる。
【００３２】
まず、ブラケット本体８を、パネル側取付部側８３からパネルＰに近づけていき、このブラケット本体８の上方側を後方に傾けて爪部Ｆの最上部に位置する上向爪Ｆ２をフック孔ＦＨに挿入していく。そして、このブラケット本体８の下方側を回動させつつ上方に持ち上げてから、下向爪Ｆ１を対応するフック孔ＦＨに水平に挿入した後、落とし込んで引っ掛ける。次に、ロック部材を、図７に示すように、切欠部８５内において退避位置（ｔ）に配置させ、前向き面９２ａを、後方へ指で押すようにしてロック位置（ｌ）へ移動させて、ブラケット本体８を抜脱不能にロックする。なお、このロック位置（ｌ）において、この操作部９２の前端は折曲部８２の前端と略面一となり、すなわち、ロック部材９は、切欠部８５に嵌り込んで外観上折曲部８２及びパネル側取付部８３とほぼ一体化したように見えることになる。
【００３３】
次に、図８に示すように、キャビネット１をブラケット本体８よりも上方になるように持ち上げて後方へ傾けるようにして、このようにロックされたブラケット本体８のキャビネット側取付部８１に対して、背面から後スリットＳＬを近づけていく。そして、係り合い準備状態（Ｊ）のキャビネット１の後スリットＳＬに、キャビネット側取付部８１が適正に挿入できるように、操作部８４を手で把持して操作し、キャビネット側取付部８１を適正な位置になるように調整して、傾斜部８１ａを後スリットＳＬの開口縁部上端に当てて挿入方向に誘導されながらキャビネット１の下端部側を後方へ回動させるようにして後スリットＳＬ内へ挿入する。また、このキャビネット側取付部８１を挿入する際に、幅方向に多少ずれた場合には、後スリットＳＬの開口縁部近傍のテーパ面Ｔに沿わせるように挿入していくようにする。そして、この状態からキャビネット１を下ろし、キャビネット側取付部８１の上端８１ｂが、後スリットＳＬの内部において天板２１の下向き面２１ａに当接して上下方向の位置決めをして、図９に示すように、内側板２４１の内側からネジＶをねじ孔ｅ１、ｅ２に止めるようにする。さらに、その前後方向の位置決めを、前記仕切り板５にキャビネット側取付部８１の前端を当接することで行うようにしてもよい。しかして、キャビネット１は、キャビネット側取付部８１に固定され、ブラケット本体８を介してパネルＰの前面Ｐ１に取り付けられた取付状態（Ｔ）となる。この際、図１０に示すように、この取付状態（Ｔ）としたキャビネット１の背面を構成する背板２３の背面２３ａ及び外側板２４２の後屈部２４２１の背面２４２１ａが、ロック部材９の前向き面９２ａに当接して後方へ付勢するように押し付けるために、爪部Ｆがフック孔ＦＨから外れる方向へ動くことは禁止され、このブラケット本体８は、パネルＰの前面Ｐ１に極めて強固に取り付けられることとなる。
【００３４】
以上詳述したように、本実施の形態におけるブラケット７は、ロック部材９によって、パネルＰの前面Ｐ１に設けたフック孔ＦＨから爪部Ｆが外れてしまうのを防止することができ、パネルＰ側に対して何らあたらな加工を施すことなく、また、簡単な構成でブラケット本体８のパネルＰからの抜け防止を図ることができる。さらに、このロック部材９をロック位置（ｌ）に配置させた状態をキャビネット１の背面で押さえるようにして維持させることができるため、抜け防止を極めて確実に行うことができる。このため、キャビネット１を、パネルＰの前面Ｐ１に対して安定して取り付けられることにもなる。
【００３５】
また、ロック部材９を、フック孔ＦＨに差し込まれる差込部９１と、キャビネット１の背面に当接する前向き面９２ａとを備えて構成したので、被取付物であるキャビネット１側にも加工を施すことなく、そのまま取付状態としたキャビネット１を利用してこのロック部材９の抜け防止を実現することができる。
【００３６】
また、ロック部材９に、指で押すようにして操作することができる操作部９１を設けたので、退避位置（ｔ）からロック位置（ｌ）への移動を簡単に行うことができる。すなわち、ロックのための作業を、工具などを用いることなく簡単なものとすることができる。
【００３７】
さらに、この操作部９２の前向き面９２ａを、キャビネット１の背面に当接する当接面としての機能を兼用させるようにしたので、ロック部材９の構成を極めて簡素なものとすることができる。
【００３８】
一方、ロック部材９を、ブラケット本体８とは別体で設けたので、例えば、初めにブラケット本体８をパネルＰの前面Ｐ１に取り付ける際など、必要ない場合は外すことができ、ブラケット７の使い勝手を良好なものとしている。
【００３９】
また、切欠部８５内で別部材を介することなく、保持させるようにしたので、ブラケット本体８には、この切欠部８５を設けるのみで良く、製作に負担をかけない。
【００４０】
また、ロック部材９を、切欠部８５の折曲部８２及びパネル側取付部８３に設けられた範囲に嵌まり込んで外観上一体化する形状をなすように成形したので、このロック部材９でブラケット本体８を抜脱不能にロックさせた後、このロック部材９をブラケット本体８から目立たせ無いようにできる上、本実施の形態では、このブラケット本体８を、その外側端に当たるパネル側取付部８３の外側端面８３とキャビネット１の外側端面２４１ａとを一致させてキャビネット１から目立たないように構成しているので、キャビネット１全体の外観を良好にすることにもつながる。
【００４１】
また、爪部Ｆを、フック孔ＦＨに対応して上下方向に並ぶ複数の下向爪Ｆ１とこれら下向爪Ｆ１の上方に設けた上向爪Ｆ２とから構成したので、この上向爪Ｆ２によってもブラケット本体８が水平方向に抜けてしまうことを防ぐことができ、抜け防止効果を一層厳重なものとすることができる。
【００４２】
さらに、本実施形態特有の効果として、ロック部材９の形状を、左右両側において使用されるのブラケット本体８どちらに対しても使用可能なものとしたので、製作の利便性を図ることもできる。
【００４３】
また、ロック部材９の操作部９２を、ブラケット本体８のキャビネット１を当接して支持させるようにキャビネット取付部８１とパネル側取付部８３との間にこれらと直交するように設けた折曲部８２の前方にできる空間部分において操作可能なものとしているため、本実施形態におけるブラケット本体８の形状を有効に活かすとともに、取付面であるパネルＰの前面Ｐ１の正面からロック部材９を操作することができる使用勝手のよいブラケット７を提供することができる。
【００４４】
また、爪部Ｆをフック孔ＦＨに引っ掛けることでパネルＰの前面Ｐ１にブラケット本体８を取り付けた後で、別体に設けたロック部材９を退避位置（ｔ）からロック位置（ｌ）に移動させるようにしているので、引っ掛ける動作とロックの動作とを別個に行なうことができ、ロックのための作業が簡単になる。
【００４５】
なお、本発明は、本実施形態に限られない。
【００４６】
特に、取付具及びロック要素の形状は、本実施の形態のブラケット本体８及びロック部材９のようなものに限らず、適宜のものであってよい。
【００４８】
また、本実施の形態のように被取付物たるキャビネット１の背面によって、ロック部材９をロック位置へ押すように構成したもののみならず、被取付部材にロック要素をロック位置側へ押圧するような別部材を設けたものであってもよい。
【００４９】
その他、各部の具体的構成についても上記実施形態に限られるものではなく、本発明の趣旨を逸脱しない範囲で種々変形が可能である。
【００５０】
【発明の効果】
本発明は、以上説明したような形態で実施され、以下に記載されるような効果を奏する。
【００５１】
すなわち、本発明によれば、ロック要素をロック位置に配することで、爪部とフック孔との係合が外れるのを防止できるので、取付面側に何ら加工を施すことなく、簡単な構成で取付具の抜け防止を実現できる。さらに、取付具に固定した被取付物によって、このロック要素のロック位置を維持させることができるので、確実な抜け防止をすることができる。
【図面の簡単な説明】
【図１】本発明の一実施形態を示す全体図。
【図２】同実施形態におけるキャビネットの外側板を取り外した様子を示す斜視図。
【図３】同実施形態を示す全体斜視図。
【図４】同実施形態を示す側面図。
【図５】同実施形態を示す平面図。
【図６】同実施形態を示す背面図。
【図７】同実施形態におけるロック部材の移動の様子を示す斜視図。
【図８】同実施形態におけるキャビネットの取付の様子を示す説明図。
【図９】同実施形態におけるキャビネットのブラケットへの固定の様子を示す斜視図。
【図１０】図１におけるＸ−Ｘ端面図。
【符号の説明】
１・・・被取付物（キャビネット）
Ｐ１・・・（取付面）パネルの前面
２３ａ、２４２１ａ・・・被取付物の背面（背面）
７・・・取付具（ブラケット）
８・・・取付具本体（ブラケット本体）
８１・・・取付部（キャビネット側取付部）
８５・・・切欠部
９・・・ロック要素（ロック部材）
９１・・・差込部
９２・・・操作部
９２ａ・・・当接面（前向き面）
Ｆ・・・爪部
Ｆ１・・・下向爪
Ｆ２・・・上向爪
ＦＨ・・・フック孔
【図１】
0004160761.tif 000002
【図２】
0004160761.tif 000003
【図３】
0004160761.tif 000004
【図４】
0004160761.tif 000005
【図５】
0004160761.tif 000006
【図６】
0004160761.tif 000007
【図７】
0004160761.tif 000008
【図８】
0004160761.tif 000009
【図９】
0004160761.tif 000010
【図１０】
0004160761.tif 000011